(57)【要約】【課題】充填物の消費に伴って展開される様に鑑賞対象物を収納した容器を提供する。【解決手段】容器１は、開口部６と開口部６の下方に連なる周壁３とを備え且つ周壁３の横断面の内周４が軸心方向に一定形状となり且つ周壁に透明部を備えた筒体２と、筒体２の内周４に密接して昇降可能に嵌合された可動仕切部材１０と、筒体２の下端部に取り付けた座部材１５と、筒体２の開口部６に密接して取り付けられたキャップ２５と、キャップ２５に設けられて可動仕切部材１０の上側の筒体２内部に充填された非圧縮性の流動性物質１４ａを外部に排出し得る流動性物質排出手段３４とを有する容器本体１ａを構成するとともに、可動仕切部材１０と座部材１５との間に、可動仕切部材１０の下降位置では収縮状態となり、流動性物質１４ａの排出に伴って可動仕切部材が上昇すると可動仕切部材の下方空間に本来の姿に展開復元されるように、鑑賞対象物２０を収納して構成する。【選択図】        図１
2005112391.tif 000002
【特許請求の範囲】
【請求項１】
開口部と該開口部の下方に筒状に連なる周壁とを備え、該周壁の横断面における内周の形状が内周の中心を通る軸心の方向に一定となる形状を有し、且つ該周壁には透明部分を備えてなる筒体と、該筒体の周壁内周に密接して前記軸心方向に昇降可能に筒体内に嵌合された可動仕切部材と、前記筒体の下端部に取り付けられた座部材と、前記筒体の開口部に密接して取り付けられたキャップと、該キャップに設けられて前記可動仕切部材の上側の筒体空間の充填部内に充填された非圧縮性の流動性物質を外部に排出し得る流動性物質排出手段とを有する容器本体を構成するとともに、該容器本体の前記可動仕切部材と前記座部材との間には、可動仕切部材の下降位置では収縮状態となり、且つ、流動性物質の排出に伴う可動仕切部材の上昇で可動仕切部材の下方に次第に広がる空間部に本来の姿に展開復元されるように鑑賞対象物を収納してなる流動性物質用容器。
【請求項２】
前記容器本体の可動仕切部材の下面および座部材の上面の少なくとも一方に、海綿状弾性体を配置するとともに、前記鑑賞対象物が、前記可動仕切部材の下降位置では収縮状態となって前記弾性体に一部または全部が埋没され、且つ、流動性物質の排出に伴う可動仕切部材の上昇につれて可動仕切部材の下方に生じる空間部に本来の姿に展開復元されるように収納されてなる、請求項１に記載の流動性物質用容器。
【請求項３】
容器本体の可動仕切部材および座部材が不透明の材料で形成されるとともに、該座部材には、前記筒体の下端から下降位置にある可動仕切部材の下面を超える高さまで、筒体の透明部分を遮蔽する周壁を備えてなる、請求項１または２に記載の流動性物質用容器。
【請求項４】
前記可動仕切部材が、収縮状態における鑑賞対象物の一部または全部が収容可能な収容部を下面側に備えてなる、請求項１から３のいずれかに記載の流動性物質用容器。
【発明の詳細な説明】
【技術分野】
【０００１】
本発明は、流動性物質用容器の技術に係わり、更に詳しくは、容器の透明の筒体内に昇降可能に密接嵌合された可動仕切部材の下方に鑑賞対象物を収納し、流動性物質の排出に伴って前記仕切部材の下方に生じる空間部に前記鑑賞対象物が展開復元されるように構成した流動性物質用容器に関するものである。
【背景技術】
【０００２】
内部に鑑賞対象物を収納してこの鑑賞対象物を外部から見えるようにした容器に関する従来例として、容器の円筒体部の内周に昇降可能に密接嵌合された可動底部を有し、該可動底部の下面に、人形や動物キャラクターや宇宙船おもちゃ等の鑑賞対象物の上部を連結して、容器内の流動性物質（例えばシャンプー液など）の排出に伴う可動底部の上昇による前記鑑賞対象物の上昇移動を見て楽しむことができるように構成された流動性物質用容器が知られている（例えば、特許文献１参照。）。この特許文献１に示された流動性物質用容器は、容器を構成する円筒体の内部に、該円筒体の内周に接して昇降可能に嵌合された可動底部を有するとともに、該可動底部には、その下面に、外周が円筒体内周よりも内側で且つ鑑賞対象物の全高にほぼ等しい高さの外周壁部が連なって形成され、この外周壁部内側の前記可動底部下面に鑑賞対象物の上端が連結されて、可動底部とともに鑑賞対象物が上昇する様に構成されている。この外周壁部で囲まれた内部が鑑賞対象物収容部である。また、同文献に示された別の容器の例では、前記円筒体に、該円筒体の内周に接して昇降可能に嵌合された上隔壁部および下隔壁部を有するとともに、該上下の隔壁部の間に鑑賞対象物が収容された例が示されている。この後者の例では、鑑賞対象物は、鑑賞状態における高さを維持して上下端が上下の両隔壁部にそれぞれ連結され、且つ、容器内の流動性物質の排出に伴う上隔壁部の上昇に下隔壁部が連動して、上下の両隔壁部が互いに一定間隔を保って円筒体の内部を上昇するように構成されている。後者の例では、上下の両隔壁部間の一定高さの空間部が鑑賞対象物収容部である。
【０００３】
【特許文献１】特開２０００−２８９７９０号公報（第４頁、図１，図２）
【発明の開示】
【発明が解決しようとする課題】
【０００４】
前記特許文献１に示された流動性物質用の容器においては、円筒体内部で且つ可動底部または上隔壁部の上方の空間部が流動性物質の充填部となるが、可動底部または上隔壁部の下方に鑑賞対象物の全高にほぼ等しい一定高さの鑑賞対象物収容部を備えているため、流動性物質の充填部の最大容積は、円筒体の高さからこの収容部の高さを差し引いた高さと円筒部の内周部の横断面積との積にほぼ等しい容積となる。つまり、円筒部の直径が一定で所定容量の容器を作る場合、収容部の高さだけ高さの高い容器にする必要があり、製造コストが高く輸送費用も高く不経済である。また、前記特許文献１に示された容器の場合は、流動性物質が充填され容器を購入する当初から容器内に収納された鑑賞対象物が露見されているので、好みの鑑賞物が収納されたものを購入できるが、充填物の消費が進むと鑑賞対象物が何であるか判るといった面白さが無く、また、好まれない鑑賞対象物が収納されたものが多数不良在庫や返品となるといった事も起こる。
【０００５】
上記の状況に鑑み、本発明が解決しようとする課題は、内部に鑑賞対象物を収納した容器であって、容器内部の鑑賞対象物の鑑賞状態における高さに影響されることなく、容器の全体の高さを低く保って必要な充填部の容積が確保でき、且つ、容器の筒体の透明部に充填された内容物が消費されるにつれて収納された鑑賞対象物が可視領域に現れて本来の姿に展開復元されるといった面白さを備えることにより、消費者の興味を引かせて購買意欲を誘引させ、且つこの鑑賞対象物が既存の容器にも収納可能な形態を備え、大きさが輸送にも便利なコンパクトサイズで低価格で製造できる、鑑賞対象物入りの流動性物質用容器（以下、これを単に「容器」とも記載する。）を提供することにある。
【課題を解決するための手段】
【０００６】
本発明は、前述の課題解決のために、流動性物質用容器を、開口部と該開口部の下方に筒状に連なる周壁とを備え、該周壁の横断面における内周の形状が内周の中心を通る軸心の方向に一定となる形状を有し、且つ該周壁には透明部分を備えてなる筒体と、該筒体の周壁内周に密接して前記軸心方向に昇降可能に筒体内に嵌合された可動仕切部材と、前記筒体の下端部に取り付けられた座部材と、前記筒体の開口部に密接して取り付けられたキャップと、該キャップに設けられて前記可動仕切部材の上側の筒体空間の充填部内に充填された非圧縮性の流動性物質を外部に排出し得る流動性物質排出手段とを有する容器本体を構成するとともに、該容器本体の前記可動仕切部材と前記座部材との間には、可動仕切部材の下降位置では収縮状態となり、且つ、流動性物質の排出に伴う可動仕切部材の上昇で可動仕切部材の下方に次第に広がる空間部に本来の姿に展開復元されるように鑑賞対象物を収納して構成した。なお、本明細書においては、容器の筒体の開口を設けた側を上方、また、容器の筒体に座部材を取り付ける側を下方として説明する。
【０００７】
上記の鑑賞対象物としては、例えば、復元性のある弾性材料で形成されて人形や動物や花などをイメージするもの、蛇腹状で伸縮可能な筒状体の周壁に各種の模様やキャラクターや文字などを描いたもの、山折りと谷折りの折り目を交互に備えて折りたたみ可能にした旗などの表裏に各種の模様やキャラクターや文字などを描いたもの、または人形や動物や植物などの形に形成した鑑賞対象物に起立付勢機能を備えたものなど、適宜の形態が選択できる。そして座部材の上面または可動仕切部材の下面にこの鑑賞対象物の端部を固着し、これを押し縮ませ、または折りたたみ、或いは左右に倒すなど、鑑賞対象物の形態に応じた適宜の方法で収縮させて、上方から可動仕切部材で押さえる。その後に容器の充填部内に非圧縮性の流動性物質（内容物）を充填してキャップで密封する。容器の用途としては、充填部に充填する流動性物質が適度な粘性を有する物質が好ましく、ジェル状、クリーム状、オイル状、または水に添加物を混合した液などの物質を対象とし、例えば化粧品、シャンプー、ボディーソープなどに適用するのが好ましい。
【０００８】
前記容器本体の可動仕切部材の下面および座部材の上面の少なくとも一方に、海綿状弾性体を配置するとともに、前記鑑賞対象物が、前記可動仕切部材の下降位置では収縮状態となって前記弾性体に一部または全部が埋没され、且つ、流動性物質の排出に伴う可動仕切部材の上昇につれて可動仕切部材の下方に生じる空間部に本来の姿に展開復元されるように収納すると好都合である。この海綿状の弾性体は、容器の輸送時における振動などで鑑賞対象物が損傷を受ける事を防止する保護部材としての役割と、充填された内容物をある程度消費した段階で鑑賞対象物が外部から次第に見えるようにして、何が出てくるかといった楽しみを消費者に与えるための役割を兼ね備えさせるためのものものである。
【０００９】
なお、容器本体の可動仕切部材および座部材は、不透明の材料で形成するとともに、該座部材には、前記筒体の下端から下降位置にある可動仕切部材の下面を超える高さまで、筒体の透明部分を遮蔽する周壁を備えると都合がよい。これにより、座部材が容器本体に充填された内容物をある程度消費した段階で鑑賞対象物が外部から次第に見えるようにするといった機能をより確実にするとともに、不透明な座部材の色彩が容器のアクセントとなって美的に映るといった効果をもたらす。また、可動仕切部材の下面側には、収縮状態における鑑賞対象物の一部または全部が収容可能な収容部を備えると更に好都合である。この収容部は、可動仕切部材の、容器本体の筒体内周に接する周面から内方に入った下側の面の一部を上方に没しさせて形成すればよい。この収容部は、収縮状態における高さが高い鑑賞対象物をも外部から見えないように且つ無理なく収納するうえで都合がよい。
【発明の効果】
【００１０】
以上にしてなる請求項１に係る発明の流動性物質用容器は、周壁に透明部分を有する容器の筒体の内周に密接して昇降可能に嵌合する可動仕切部材と筒体の下端部に取り付けられた座部材との間に、可動仕切部材の下降状態ではその可動仕切部材によって収縮され、且つ、流動性物質の排出に伴う可動仕切部材の上昇につれて可動仕切部材の下方に生じる空間部に本来の姿に展開復元されるようにして鑑賞対象物を収納したので、つぎのような多くの作用効果が得られる。即ち、容器内部の鑑賞対象物の鑑賞状態における高さに影響されることなく、鑑賞対象物が収縮された状態では収納スペースの高さがごく僅かの高さに収まる。つまり容器全体の高さを低く保って必要な充填部の容積が確保できる。そして筒体の充填部に充填された流動性物質即ち内容物が消費されるにつれて、収納された鑑賞対象物が筒体の透明部の可視領域に現れて本来の姿に展開復元されるといったおもしろさを備える。そのため消費者の興味を引き且つ購買意欲を誘発させる。この鑑賞対象物は、筒体の内周に接して昇降可能に嵌合する可動仕切部材と筒体の下端部に取り付けられた座部材とを備えた既存の容器にも収納することができる。容器の筒体の内周が長手方向軸心に沿って一定の垂直平行面を備えた形状であればよく、容器の筒体の横断面は、円筒形、楕円形、三角形、四角形、多角形など適宜の形状の容器に適用できる。また、容器の高さを低く設定できるので、消費者が手で握って使用するのに便利な従来の容器とほぼ同じ大きさにすることができ、且つ輸送にも便利である。更に、この容器は、サイズが小さいく材料費が押さえられるので、低価格で製造できる。また、収納する鑑賞対象物を例えば花などの美観を備えたものにすると、次第に展開復元するおもしろさのみにとどまらず、展開復元された鑑賞対象物が消費者に安らぎを与えるインテリアとしての利用方法も可能となる。
【００１１】
請求項２によれば、容器の可動仕切部材の下面および座部材の上面の少なくとも一方に海綿状弾性体を介在させ、鑑賞対象物を、可動仕切部材の下降状態ではその可動仕切部材によって収縮され且つ前記の弾性体に一部または全部が埋没されるように収納したので、次のような作用効果が得られる。即ち、鑑賞対象物の全体または部分が弾性体に没する状態で保持され、容器の輸送時における振動などで鑑賞対象物が損傷を受ける事を防止する。また、容器の内容物をある程度消費する段階まで鑑賞対象物が埋没され外部から容易に判断できない状態を保つので、どんなものが出てくるかといった楽しみを消費者に与える。或いは、店頭で陳列している状態では鑑賞対象物が弾性体に埋没して何であるかを判別できないので、この部分に例えば当たり外れのある景品引換券などを収納して販売促進に利用することもできる。
【００１２】
請求項３によれば、容器本体の可動仕切部材および座部材を不透明の材料で形成するとともに、該座部材には、前記筒体の下端から下降位置にある可動仕切部材の下面を超える高さまで、筒体の透明部分を遮蔽する周壁を備えたので、座部材が容器本体に充填された内容物をある程度消費した段階で鑑賞対象物が外部から次第に見えるようにするといった機能をより確実にするとともに、不透明な座部材の色彩が容器のアクセントとなって美的に映るといった効果をもたらす。
【００１３】
また、請求項４によれば、可動仕切部材の下面側には、収縮状態における鑑賞対象物の一部または全部が収容可能な収容部を備えるようにし、この収容部は、可動仕切部材の、容器本体の筒体内周に接する周面から内方に入った下側の面の一部を上方に没しさせて形成すればよいので、収縮状態における高さが高い鑑賞対象物をも外部から見えないように且つ無理なく収納することができ、容器の高さを特別に高くすることなく、大きな鑑賞対象物でも収容可能となるといった作用効果が得られる。
【発明を実施するための最良の形態】
【００１４】
本発明を実施するための最良の形態について添付図面に基づき説明するが、本発明は、以下に記載する説明と添付図面の実施形態に限るものではなく、特許請求の範囲に記載の要件を備えたものすべてを含む。図１は、本発明に係る流動性物質用容器の実施例の全体を示し、上部は断面で示している。図２は、容器に収納された鑑賞対象物が展開復元する様子を（ａ）は収縮収納状態、（ｂ）は展開復元状態でそれぞれ示している。図３には、折りたたみ式鑑賞対象物を容器に収納した場合を例示し、（ａ）は蛇腹状の鑑賞対象物、（ｂ）は旗状の鑑賞対象物をそれぞれ展開復元状態で示している。
【００１５】
図において、本発明に係る流動性物質用容器（容器）１は、上端部に開口部６と開口部６の下方に連なる周壁３とを備え且つ周壁３の横断面形状が軸心方向に一定の内周を有する透明の筒体２と、筒体２の周壁３の内周４に密接して筒体２内部を軸心方向に昇降可能に嵌合された可動仕切部材１０と、筒体２の下端部に取り付けた座部材１５と、筒体２の上端部の開口部６に密接して取り付けられたキャップ２５と、キャップ２５に設けられて可動仕切部材１０の上側の筒体２内部の空間（即ち充填部）１４内に充填された流動性物質１４ａを外部に排出し得る流動性物質排出手段としてのポンプ部３４とを有してなる容器本体１ａを構成する。そして、該容器本体１ａの可動仕切部材１０と座部材１５との間には、可動仕切部材１０の下降状態では可動仕切部材１０によって収縮され、且つ、流動性物質の排出に伴う可動仕切部材１０の上昇につれて可動仕切部材１０の下方に生じる下方空間１３（つまり鑑賞対象物の収納スペース）の内部に本来の姿に展開復元されるように鑑賞対象物２０を収納して構成する。一方、容器１の筒体２の上部には、筒体２の外周とほぼ同じ外周を有し且つキャップ２５とポンプ部３４とを覆う化粧キャップ５０を装着する。また、容器１の座部材１５の上面には、海綿状の弾性体１９として円形に形成したソフトなスポンジ板１９を介在させ、スポンジ板１９の上に鑑賞対象物２０を取り付け、鑑賞対象物２０が可動仕切部材１０の下降状態ではその可動仕切部材１０によって収縮され、スポンジ板１９に一部または全部が埋没されるように収納する。容器本体１ａの充填部１４に充填する流動性物質（充填物）１４ａは、非圧縮性で適度な粘性を有する物質であり、ジェル状、クリーム状、オイル状、または水に添加物を混合または溶融した液などの物質が対象となるが、以下の実施形態ではこれを充填物１４ａまたは化粧品１４ａとして説明する。
【００１６】
つぎに、上記の基本構成からなる容器１の各構成要素の詳細な構造について説明する。まず、容器本体１ａの筒体２について説明する。筒体２は、合成樹脂やガラスなどの透明な素材で成形され、手で握った程度では容易に変形しない程度の剛性を備える。筒体２は、内周４が滑らかな垂直平行の円筒形の周壁３を有する。周壁３の下端は開口し、且つ上端には中心方向に向く上壁を有し、該上壁の中央には垂直上方に突出する首部５を有するとともに、該首部５には、周壁３の円筒形内周４の中心軸、即ち円筒部軸心と同心で且つ外部に連通する貫通孔（開口部６）が設けられている。そして筒体２の周壁３の上端には、周壁３の外周に沿って該外周を切り欠いて形成した上方段部７が設けられ、上方の段部７には周方向に沿って複数の係止突起９が設けられている。また、筒体２の周壁３の下端にも上端側と同様に下方段部８と係止突起９ａが設けられている。上方段部７は、後述の化粧キャップ５０の内周部が嵌合して係止突起９で係止保持される化粧キャップの装着部となり、下方段部８には後述の座部材１５の内周部が嵌合して係止突起９ａで係止保持される座部材の装着部となる。また、首部５の外周上端には外方に延出する環状の係止部５ａが設けられている。この係止部５ａは後述のキャップ２５を嵌合係止する役割をする。
【００１７】
なお、周壁３の外周は、図示の例では横断面が内周４と同心の円形であるが、これに限らず、それぞれ滑らかな円弧状の角部を有する三角形、四角形、または多角形のいずれの形状に形成してもよい。また、筒体２の内周４についても、円筒形に限らず、長手方向軸心に沿って一定の垂直平行面を備えた形状であればよい。つまり、容器の筒体の横断面は、円筒形または楕円形のほか、それぞれ滑らかな円弧状の角部を有する三角形、四角形、または多角形のいずれの形状に形成してよい。また周壁３は、全体を透明にするほか、側面の一部の下端近傍から上端近傍に至る間を透明にすることでもよい。この透明部分が容器本体１ａに収納された鑑賞対象物２０の可視領域となる。
【００１８】
つぎに、可動仕切部材１０について説明する。可動仕切部材１０は、合成樹脂材など不透明の材料で成形され、高さ方向にやや厚みを有し、且つ外周が円形の部材からなる。そしてこの可動仕切部材１０の外周部には、筒体２の周壁３の内周４に密接する少なくとも１つ以上の環状シール部１１を設けている。環状シール部１１は、前記円形の部材と一体成形してもよいし、ゴム材や軟質合成樹脂材で別体で成形してこれを前記円形の部材の外周に沿って形成した円周溝に密接装着してもよい。上記構成からなる可動仕切部材１０は、筒体２の周壁３の内周４に環状シール部１１の外周が密接嵌合して筒体２の内部を筒体２の軸心に沿って昇降する。そして環状シール部１１と筒体２の内周４との接触部は気密状態となり、可動仕切部材１０よりも上方の筒体２の内部の充填部１４に充填された化粧品１４ａを下方に漏らさず且つ下方空間１３から充填部１４への空気の通過を遮断する役目をする。なお、可動仕切部材１０の上面中心部には凹部１２を形成している。凹部１２は、可動仕切部材１０が最上部まで上昇した際に後述のキャップ２５に設けられたポンプ部３４の下端部の吸入口３７が収まる部分となる。環状シール部１１は、弾力性に富み、断面が矩形または円形のリング状に形成した部材、または適宜の形状のリング状部材から半径方向外側に延出する薄い鍔部を設けた部材などを、前記円形の部材の外周部に装着してもよいし、或いは、前記円形の部材の外周部にこの外周部から半径方向外側に張り出す薄い鍔部を直接形成するかまたは接着するなど適宜の形態で設けることでもよい。
【００１９】
つぎに、座部材１５について説明する。座部材１５は、合成樹脂材や軽量の金属材料などを用いて、肉厚の薄い不透明の有底の筒状に成形される。そしてこの筒状部材の周壁１６は、筒体２の周壁３の下方の外周部と同じ形状の外周部と、筒体２の下方段部８に嵌合する内周部とを有する。この座部材１５の底壁１７には、内外に連通する通気口１７ａが貫通形成されるとともに、周壁１６の内面には、内周に沿って環状の係止溝１８が設けられている。係止溝１８は、この座部材１５の周壁１６の内周部を筒体２の下方段部８に嵌合装着した際に、筒体２の下方段部８の周囲に形成した複数の係止突起９ａに嵌合して座部材１５を係止保持する役割をする。座部材１５の外周は、座部材１５を筒体２に装着した状態では筒体周壁の外周面と滑らかに連なる形状に形成されている。
【００２０】
つぎに、化粧キャップ５０について説明する。化粧キャップ５５は、合成樹脂材や軽量の金属材料などを用いて、肉厚の薄い不透明の有底の筒状に成形される。そしてこの筒状部材は、筒体２の周壁３の上方外周部と同じ形状の外周部と、筒体２の上方段部７に。嵌合する内周部とを有する周壁５１を備えた内部が空洞の有底の部材である。そして化粧キャップ５０の上壁５２には、周壁５１の内面には、内周に沿って環状の係止溝５３が設けられている。係止溝５３は、この化粧キャップ５０の周壁５１の内周部を筒体２の上方段部７に嵌合装着した際に、筒体２の上方段部７の周囲に形成した複数の係止突起９に嵌合して化粧キャップ５０を係止保持する役割をする。この化粧キャップ５０は、筒体２に装着された状態では、筒体２の上部の首部５に嵌合装着された後述のキャップ２５および該キャップ２５に組み込まれたポンプ部３４を内部空間内に収納して、これらが外部に露出しないように覆い隠す役目をする。化粧キャップ５０の外周は、化粧キャップ５０を筒体２に装着した状態では筒体周壁の外周面と滑らかに連なる形状に形成されている。
【００２１】
つぎに、キャップ２５およびポンプ部３４について説明する。キャップおよびポンプ部については種々の形態が可能であり、添付図はその一実施例を示す。従って、本発明の流動性物質用容器のキャップおよびポンプ部は、この実施例の図に示された形態に限定するものではない。まず、キャップ２５については、筒体２の首部５の係止部５ａに嵌合する内周を有する筒状の外筒２６を有し、且つ、外筒２６の内部空間の中間部には内方に向け水平環状に延出する仕切部（後述の連結部）２９が設けられ、仕切部２９の下面には仕切部２９に接するように環状のシール部材３１が装着され、更に、外筒２６の下端部の内周面には、筒体２の係止部５ａの上端をシール部材２９に密着させた状態で抜けを防止するための係止部３０を備えた構成からなる。上記構成からなるキャップ２５は、キャップ２５を筒体２の開口部６に装着した状態では、シール部材２９と開口部６との接触部が気密状態となり、シール部材２９と開口部６との接触部から外気が筒体２の充填部１４に侵入したり筒体２内部に充填された充填物１４ａが漏れ出すことを防止する。
【００２２】
一方、ポンプ部３４はキャップ２５の外筒２６に組み込まれる。ポンプ部３４は、外筒２６の内側の中間部に内方に延出する連結部（前述の仕切部）２９を介して外筒２６と一体的且つ同心に支持され外筒２６の上方に突出するた中空の内筒３５と、外筒２６の上壁２７の中心に形成された円形孔（または円形凹部でもよい）２８と内筒３５との環状隙間に下端部が挿入され且つ内周が内筒３５の上端部外周に密接嵌合して限定的に上下動可能に支持された中空の可動筒４０と、可動筒４０の上壁４２の下面（即ち可動筒４０の内部空間の天井部）と内筒３５の上端との間に介在して可動筒４０を上方付勢するスプリング４９と、可動筒４０の上壁４２の中心の下面から下方に向けて突設され且つ先端部が内筒３５の上端に設けたプランジャ挿入孔３６から内筒３５の内部即ち通路３８内に貫入するプランジャ４５とを有してなる。プランジャ４５とプランジャ挿入孔３６の嵌合部は、気密状態を保ちつつプランジャ４５が軸心に沿って上下動可能な状態にしてある。
【００２３】
そしてプランジャ４５には、内筒３５に貫入する先端部に開口してプランジャ４５の内部を通り、且つ、可動筒４０の周壁４１の側方に貫通形成した開口４３から外部に向けて突出する突起部の内部を通り、前記突起部先端に開口する排出口４６から外部に連通する通路４７を備える。更に、内筒３５の通路３８とプランジャ４５の通路４７とは互いに連通し、通路３８の下端部には吸入逆止弁３９を、および通路４７の途中には排出逆止弁４８をそれぞれ設けている。吸入逆止弁３９および排出逆止弁４８は、ともに内部通路内にその通路の筒体２の充填部１４側のポートを閉鎖し得るように収納された球形の弁体を備えている。そして吸入逆止弁３９および排出逆止弁４８は、それぞれ筒体２の内部の充填部１４から排出口４６の方向への一方向の流れのみを許容するように構成されている。内筒３５の外周部は、筒体２の首部５の内周と僅かな隙間を隔てる程度の太さに形成され、且つ、内筒３５の下端部には、内部の通路３８が外部に連通するように貫通形成された吸入口３７が設けられている。
【００２４】
内筒３５の下端部は、連結部３９よりも下方に延出し、下端の吸入口３７が筒体２内の充填部１４に覗く程度の関係に形成されている。可動筒４０の下端には、外周面から半径方向外方に突出する係止部が形成され、この係止部が外筒２６の上壁２７の円形孔２８の下面に当接して可動筒４０の抜け出しが規制されるとともに、可動筒４０を押し込んだ際には可動筒４０の下端が外筒２６と内筒３５とを連結する連結部２９に当接して下降動作が限定的に規制されるように構成されている。つまり可動筒４０のこの上下限定された移動範囲がプランジャ４５のストロークになる。
【００２５】
つぎに、容器に収納する鑑賞対象物２０について説明する。鑑賞対象物２０は種々の形態のものを適宜選択することができる。その各々についての図示は省略するが例えば、復元性のある弾性材料で形成されて人形や動物や花などをイメージするもの、蛇腹状で伸縮可能な筒状体の周壁に各種の模様やキャラクターや文字などを描いたもので、例えば図３（ａ）に例示する蛇腹状鑑賞対象物２１、山折りと谷折りの折り目を交互に備えて折りたたみ可能にした旗などの表裏に各種の模様やキャラクターや文字などを描いたもので、例えば図３（ｂ）に例示する旗状鑑賞対象物２２、または人形や動物や植物などの形に形成した鑑賞対象物に起立付勢機能を備えたものなど、適宜の形態を選択すればよい。図１および図２の例では花を鑑賞対象物２０としている。この花のような鑑賞対象物２０の場合は、上下方向に押圧して収縮させて収納し、可動仕切部材１０が上昇してフリーになったときにはそれ自身の復元機能で本来の鑑賞状態の姿に展開復元するようにつくられている。このように弾性を備えた素材で作られてそれ自体が復元機能を備えたものは、上下いずれか一方の端部を固定して他端をフリーにしておけばよい。本来の姿に復元させる方法としては、例えば、図３（ａ）の蛇腹状鑑賞対象物２１や図３（ｂ）の旗状鑑賞対象物２２などでは、可動仕切部材１０と座部材１５とにそれぞれの鑑賞対象物２１，２２の上端２１ａ、２２ａおよび下端２１ｂ、２２ｂを連結して展開させる方法があり、またこれらの方法のほかにも、上端を可動仕切部材１０に連結して下端をフリーにしておいて自重または下端に取り付けたおもりで展開させる方法、バネやゴムなどの弾性体の復元機能を利用する方法など、鑑賞対象物の形態に応じて適宜の方法が選択できる。なお、充填部１４に化粧品１４ａを充填する作業を容易にするため、鑑賞対象物２０の復元力は、可動仕切部材１０を押し上げる作用力以下に収まるようにするのが好ましい。
【００２６】
鑑賞対象物２０は、座部材１５の上面または可動仕切部材１０の下面に端部を直接接着するなどして固着してもよいが、または前記のいずれかの面に予め設けられた紐通し穴などに紐で結びつけるなどして取り付ける。図示のように、鑑賞対象物２０をスポンジ板などの弾性体１９を介して取り付けてもよい。この図示の場合は、筒体２の周壁内周４とほぼ同じ直径の円形で適宜の厚さの目の粗い柔らかなスポンジ板１９を、座部材１５の上面に接しさせるか接着してその上に鑑賞対象物２０を取り付けている。図示の例では、鑑賞対象物２０，２１，２２は引き止め具１９ａで固定している。この引き止め具１９ａは、紐の端部に棒材を連結した部材で、棒材部分をスポンジ板１９の下方に水平に接しさせて紐をスポンジ板１９を貫通して鑑賞対象物の下端部２０ｂ，２１ｂ，２２ｂに固定する。図示はしないが、スポンジ板１９は、座部材１５の上面に限らず可動仕切部材１０の下面に介在させてもよいし両方に介在させてもよい。そして鑑賞対象物２０を収納する要領は、上下方向に押したり交互に折り曲げたり左右に倒すなど、形態に応じて適宜の方法で鑑賞対象物を収縮させ、上方から可動仕切部材１０で押さえる。その後に容器１の下端から筒体２の内部に押し込む。この際に鑑賞対象物が展開しないように、座部材１５と可動仕切部材１０とを重ね併せた状態で押し込む。なお、座部材１５の装着時の衝撃で可動仕切部材が浮き上がらないように、筒体２の開口部６から棒材を挿入して可動仕切部材１０を押さえるようにするとよい。そして鑑賞対象物２０が収納され座部材１５が筒体２の下端に係止保持された後に開口部６から化粧品１４ａを注入し、化粧品１４ａが容器１の筒体２の充填部１４に充填されたら、ポンプ部３４が予め組み立てられたキャップ２５の外筒２６の内周部を筒体２の首部５に押し込み、係止部３０と係止部５ａとを係合させる。これにより、シール部材３１が容器本体１ａの首部５の上端に密接して充填部１４が気密状態となる。
【００２７】
つぎに、上記構成からなる容器１の作用を説明する。容器１の筒部２を手で握って可動筒４０の上方を指で下方に押すと、可動筒４０に一体的に取り付けられたプランジャ４５が上記のストロークに相当する分だけ下方移動し、内筒３５の内部の通路３８内に押し込まれる。内筒３５の通路３８の内部に充満している化粧品１４ａは、内筒３５の下端の吸入逆止弁３９で容器１の充填部１４側への流れを阻止されているので、プランジャ４５の内部の通路４７に設けられた排出逆止弁を押し開けて排出口４６から排出される。つぎに可動筒４０の上部を押す指の力を弛めると、可動筒４０はスプリング４９の上方付勢力で押し戻され、プランジャ４５が上記ストローク分だけ上方移動する。この上方移動時には、排出逆止弁４８が閉鎖されて外部の空気の吸い込みを阻止するので、吸入逆止弁３９が開いて充填部１４の化粧品１４ａを内筒３５の通路３８内に吸い込む。この作用によって、内筒３５の通路３８内に吸い込まれた化粧品１４ａの体積に相当する分だけ充填部１４の容積が減じられ、充填部１４が負圧となり、下方の可動仕切部材１０が上昇する。可動仕切部材１０の上昇に伴い、座部材１５の通気口１７ａから外気が可動仕切部材１０の下方の下方空間１３内に侵入して、下方空間１３と充填部１４の内部が大気圧に戻される。なお、可動筒４０の下端が挿入された外筒２６の仕切部２９の上方の空間部、およびスプリング４９が収納された可動筒４０と内筒３５上端部との間の空間は、外筒３５の上壁２７の円形孔２８と可動筒４０の外周との摺動部および可動筒４０の内周と内筒３５の外周との間の摺動部にはそれぞれ若干の隙間が形成されていて、可動筒４０が上下動しても外筒２６内の空間部およびスプリング４９の収納空間はそれぞれ常時外部の大気と連通状態であり、可動筒４０の上下動が支障なく行われ、充填物が漏れ出すことはない。そして上記の動作を繰り返して行うと、容器本体１ａ内の化粧品１４ａは次第に排出され、その作用に伴って可動仕切部材１０が徐々に上昇し、可動仕切部材１０の下方の下方空間１３が次第に上方に広がっていく。この下方空間１３の広がりに伴って、容器本体１ａ内に収納された鑑賞対象物２０（または図３の符号２１、或いは符号２２）が次第に展開復元される。この展開復元された鑑賞対象物２０（または図３の符号２１、或いは符号２２）は、容器本体１ａの外部方透明の筒部２を通して鑑賞することができる。そして可動仕切部材１０が筒体２の最上部に到達すると、内筒３５の下端部が可動仕切部材１０の上面の凹部１２内に嵌合するので、充填部１４内の化粧品１４ａは隙間部に僅かに残量を残し殆ど全てが排出される。
【００２８】
なお、鑑賞対象物を例えば図３の符号２１または２２に示す形態や或いは例えばくす玉のような形態にする場合、図示は省略するが、その鑑賞対象物は、ちぎれやすい紙テープやミシン目を入れた紙テープなどで鑑賞対象物の上下端をつなぎ、それ自体の自重では展開しない形態で収納するとともに、下端部（図３の符号２１ｂ、２２ｂなど）に連結する引き留め具１９ａの紐をやや長めに設定し、可動仕切部材１０が上昇行程の限界のやや手前に上昇した際に前記引き止め具の紐が緊張して、その緊張作用で前記紙テープがちぎれて鑑賞対象物が展開復元されるといった形態することもできる。これにより、容器１の充填物を使い切る頃に鑑賞対象物が展開されて、どんなものが収納されていたかをはじめて消費者が知ることができる、といったおもしろさを付加することもできる。
【図面の簡単な説明】
【００２９】
【図１】本発明に係る流動性物質用容器の実施例の全体を示す図で、上部を断面で示している。
【図２】鑑賞対象物が容器内で展開復元する様子を説明する図で、（ａ）は収縮収納状態、（ｂ）は展開復元状態をそれぞれ示している。
【図３】折りたたみ式鑑賞対象物を容器に収納した場合を例示する部分図で、（ａ）は蛇腹状の鑑賞対象物、（ｂ）は旗状の鑑賞対象物をそれぞれ展開復元状態を示す。
【符号の説明】
【００３０】
１  容器（流動性物質用容器）
１ａ  容器本体
２  筒体
３  周壁
４  内周
５  首部
５ａ  係止部
６  開口部
７  上方段部
８  下方段部
９，９ａ  係止突起
１０  可動仕切部材
１１  環状シール部
１２  凹部
１３  下方空間
１４  充填部
１４ａ  流動性物質（充填物、化粧品）
１５  座部材
１６  周壁
１７  底壁
１７ａ  通気口
１８  係止溝
１９  スポンジ板（弾性体）
１９ａ  引き止め具
２０  鑑賞対象物
２１  蛇腹状鑑賞対象物
２２  旗状鑑賞対象物
２１ａ、２２ａ  上端部
２０ｂ、２１ｂ、２２ｂ  下端部
２５  キャップ
２６  外筒
２７  上壁
２８  円形孔
２９  連結部（仕切部）
３０  係止部
３１  シール部材
３４  ポンプ部（流動性物質排出手段）
３５  内筒
３６  プランジャ挿入孔
３７  吸入口
３８  通路
３９  吸入逆止弁
４０  可動筒
４１  周壁
４２  上壁
４３  開口
４５  プランジャ
４６  排出口
４７  通路
４８  排出逆止弁
４９  スプリング
５０  化粧キャップ
５１  周壁
５２  上壁
５３  係止溝
【図１】
2005112391.tif 000003
【図２】
2005112391.tif 000004
【図３】
2005112391.tif 000005